(57)【特許請求の範囲】
【請求項１】
担体と、
前記担体に取り付けられる一続きの固体光源と、
前記一続きの固体光源を覆うカバー部材とを有するランプであって、
前記担体において、前記一続きの固体光源のうちの固体光源の間に、開口部であって、前記一続きの固体光源から発せられ、前記カバー部材によって前記担体の方へ後方反射された光が、前記開口部を通って前記担体を通過することが可能になるような開口部が設けられ、前記ランプが、ランプソケットとの接続のための口金を更に有し、前記担体が、平らであり、前記ランプの長手方向軸に対して平行に配設されるランプ。
【請求項２】
前記担体が、ベース部と、湾曲部とを含む周辺部を持ち、前記一続きの固体光源及び前記開口部が、前記担体の前記周辺部の前記湾曲部に沿って配設され、前記湾曲部に従う請求項１に記載のランプ。
【請求項３】
前記カバー部材が、前記担体の前記周辺部の前記湾曲部に沿って延在する中空隆起部によって囲まれる平らな中央領域を持ち、前記中空隆起部が、前記一続きの固体光源の光チャンバを規定する請求項２に記載のランプ。
【請求項４】
前記一続きの固体光源が、前記担体の一方の面に配置され、別の一続きの固体光源が、前記担体の反対側の面に取り付けられる請求項１乃至３のいずれか一項に記載のランプ。
【請求項５】
前記別の一続きの固体光源を覆う別のカバー部材を更に有し、前記担体が、２つの前記カバー部材の間に位置する請求項４に記載のランプ。
【請求項６】
各々の連続する２つの固体光源の間に単一の開口部が設けられる請求項１乃至５のいずれか一項に記載のランプ。
【請求項７】
前記開口部の幅が、実質的に、前記固体光源の幅に対応する請求項１乃至６のいずれか一項に記載のランプ。
【請求項８】
前記開口部の長さが、実質的に、前記一続きの固体光源のうちの連続する固体光源の間の距離に対応する請求項１乃至７のいずれか一項に記載のランプ。
【請求項９】
前記開口部の幅及び／又は長さが、前記担体の厚さの少なくとも２倍である請求項１乃至８のいずれか一項に記載のランプ。
【請求項１０】
前記担体が、単一の独立した自立担体である請求項１乃至９のいずれか一項に記載のランプ。
【請求項１１】
前記担体が、前記固体光源のための電気接続部を有する請求項１乃至１０のいずれか一項に記載のランプ。
【請求項１２】
前記一続きの前記固体光源が、前記カバー部材に向かう方向に光を発するよう構成される請求項１乃至１１のいずれか一項に記載のランプ。
【請求項１３】
前記固体光源が、発光ダイオードである請求項１乃至１２のいずれか一項に記載のランプ。
【請求項１４】
請求項１乃至１３のいずれか一項に記載のランプを少なくとも１つ有する照明器具。
【発明の詳細な説明】
【技術分野】
【０００１】
本発明は、ランプ、例えば、発光ダイオードを有する平らな交換電球に関する。本発明は、このようなランプを少なくとも１つ有する照明器具にも関する。
【背景技術】
【０００２】
CN202546362は、とりわけ、電球の底部に配設されるランプホルダと、ランプホルダ内に配設されるＬＥＤ回路基板と、垂直に固定されるＬＥＤランプパネルであって、ランプホルダ内のＬＥＤ回路基板に回転部材を通して電気的に接続されるＬＥＤランプパネルと、ＬＥＤランプパネルの発光面にオーバーラップされる光ガイドシートとを有するＬＥＤ（発光ダイオード）ランプを開示している。
【０００３】
しかしながら、CN202546362における光ガイドシートは、ＬＥＤランプパネルによって発せられる光を部分的にＬＥＤランプパネルへ後方反射し、従って、ランプの効率を低下させる。特に、光ガイドシートの光学的機能が強力である場合には、関連する後方反射が増大される。これは、ランプの効率を低下させ、ランプのコストを増大させる。また、ＬＥＤランプパネルによって吸収された光は、ＬＥＤランプパネルの温度を上昇させ、これは、ランプの寿命を減らし得る。
【発明の概要】
【発明が解決しようとする課題】
【０００４】
本発明の目的は、上述の不利な点の少なくとも幾つかを克服し、改善されたランプを提供することである。
【課題を解決するための手段】
【０００５】
本発明の第１の態様によれば、この及び他の目的は、担体と、前記担体に取り付けられる一続きの固体光源と、前記一続きの固体光源を覆うカバー部材とを有するランプであって、前記担体において、前記一続きの固体光源のうちの固体光源の間に、開口部であって、前記一続きの固体光源から発せられ、前記カバー部材によって前記担体の方へ後方反射された光が、前記開口部を通って前記担体を通過することが可能になるような開口部が設けられるランプによって達成される。
【０００６】
前記担体における前記開口部は、さもなければ、前記カバー部材から後方反射された光は、前記担体において吸収され得ることから、前記ランプの光学的効率を高める。特に、前記カバー部材の光学的な機能が、（ビーム成形又は散乱などの強力な光の操作を意味する）強力である場合には、関連する後方反射は増大される。更に、前記担体において、より少ない光しか吸収されない、又は光が吸収されないことから、前記担体及び前記光源の温度は低下させられることができ、このことは、前記ランプの寿命を延ばし得る。
【０００７】
前記ランプは、ランプソケットとの接続のための口金を更に有してもよく、前記担体は、平らであり、前記ランプの長手方向軸に対して平行に配設される。この実施例においては、前記担体によって直に吸収されない前記反射された光は、有益なことに、前記ランプの、適正な方向の光出力を増す。前記担体は、ベース部と、湾曲部とを含む周辺部を持っていてもよく、前記一続きの固体光源及び前記開口部は、前記担体の前記周辺部の前記湾曲部に沿って配設され、前記湾曲部に従う。前記カバー部材は、前記担体の前記周辺部の前記湾曲部に沿って延在する中空隆起部によって囲まれる平らな中央領域を持っていてもよく、前記中空隆起部は、前記一続きの固体光源の光チャンバを規定する。前記カバー部材は、半透明であってもよい。
【０００８】
前記一続きの固体光源は、前記担体の一方の面に配置されてもよく、別の一続きの固体光源が、前記担体の反対側の面に取り付けられる（と共に同様に配置される）。この実施例においては、一方の面において生成された光は、反対側の面において生成された光と混ざり合うことができ、従って、前記ランプの混合作用を改善する。前記開口部は、色又は光束の混合を促進することができ、前記カバー部材の光学的な機能における要求を減らし、このことは、前記ランプのコストを減らし得る。前記ランプは、前記別の一続きの固体光源を覆う別のカバー部材を更に有してもよく、前記担体は、２つの前記カバー部材の間に位置する。
【０００９】
各々の連続する２つの固体光源の間に単一の開口部が設けられてもよい。他の例においては、各々の連続する２つの光源の間に幾つかのより小さい開口部が設けられてもよい。
【００１０】
前記開口部の幅は、実質的に、前記固体光源の幅に対応し得る。前記開口部の幅は、例えば、前記固体光源の幅の８０％と１２０％との間であり得る。前記開口部の長さは、実質的に、前記一続きの固体光源のうちの連続する固体光源の間の距離に対応し得る。前記開口部の長さは、例えば、前記一続きの固体光源のうちの連続する固体光源の間の距離の８０％と１００％との間であり得る。更に、前記開口部の幅及び／又は長さは、前記担体の厚さの少なくとも２倍であり得る。前記開口部の目的は、前記担体の表面積を減らすことである。しかしながら、前記開口部の側壁は、前記表面積を増やす。それによって、前記開口部の幅及び／又は長さは、全体的な表面積が減らされるように、十分に大きい必要がある。
【００１１】
前記担体は、単一の別個の自立担体であってもよい。この方法においては、前記固体光源は、好ましくは、表面実装技術（ＳＭＴ）のような従来の技術を用いて、前記担体に容易に取り付けられ得る。前記担体は、前記固体光源のための電気接続部を含み得る。前記担体は、例えば、プリント回路基板（ＰＣＢ）であり得る。
【００１２】
前記（第１の）一続きの前記固体光源は、前記（第１）カバー部材に向かう方向に光を発するよう構成され得る。同様に、前記別の（第２の）一続きの前記固体光源は、前記別の（第２）カバー部材に向かう方向に光を発するよう構成され得る。前記固体光源は、発光ダイオードであってもよい。
【００１３】
本発明の第２の態様によれば、前記第１の態様によるランプを少なくとも１つ有する照明器具が提供される。この態様は、本発明の前記第１の態様と同じ又は同様の特徴及び技術的効果を呈し得る。
【００１４】
本発明は、請求項において列挙されている特徴の全てのあり得る組み合わせに関することに注意されたい。
【図面の簡単な説明】
【００１５】
ここで、本発明の実施例を示す添付図面を参照して、本発明のこれらの及び他の態様をより詳細に説明する。 
【図１】本発明の実施例によるランプの斜視図である。
【図２】図１のランプの分解図である。
【図３】図１及び２のランプの部分側断面図である。
【発明を実施するための形態】
【００１６】
以下、本発明の現在好ましい実施例が示されている添付図面を参照して、本発明をより詳細に説明する。しかしながら、本発明は、多くの異なる形態で実施されてもよく、本願明細書に記載されている実施例に限定されるものとして解釈されるべきではない。もっと正確に言えば、これらの実施例は、完全及び完璧を期すために示されており、当業者に本発明の範囲を十分に伝える。同様の参照符号は、全体を通して、同様の要素を指す。
【００１７】
図１乃至２は、本発明の実施例によるランプ１０を示している。ランプ１０は、担体１２を有する。担体１２は、好ましくは、単一の別個の自立担体であるが、他の構成もあり得る。担体１２は、好ましくは、平らであり、第１面１４ａ及び反対側の第２面１４ｂ、並びに第１面１４ａと第２面１４ｂとの間の厚さを備える。担体１２は、導電性トラックを備えるプリント回路基板（ＰＣＢ）であり得る。導電性トラックは、担体１２の一方の若しくは両方の面１４ａ、１４ｂ上にあってもよく、又は導電性トラックは、担体１２に埋め込まれてもよい。担体は、平らである代わりに、ねじられていてもよい（図示せず）。
【００１８】
ランプ１０は、ランプソケット（図示せず）との電気的な接続及び機械的な接続のための口金１６を更に含み得る。口金１６は、取り付け具又はエンドキャップとも呼ばれ得る。ここでは、口金１６は、単一の口金である。口金１６は、例えば、雄ねじを備えるねじ込み口金であり得る。しかしながら、本ランプは、差し込み口金、バイピン(bi-pin)などのような異なるランプ口金を持ち得る。
【００１９】
担体１２は、ランプ１４の長手方向軸１８に対して実質的に平行に配設される。更に、担体１２は、好ましくは、口金１６に対して一定の関係にあるよう配設される。担体１２は、縁又は周辺部を有し得る。周辺部は、口金１６に面するベース部１９を含む、周辺部は、湾曲部２０を更に含む。湾曲部２０は、図１に示されているように２０’から２０’’まで延在する。湾曲部２０は、好ましくは、従来の白熱電球のガラスの輪郭を模倣している。湾曲部２０は、例えば、円形の一部のように湾曲していてもよいが、他のプロファイルもあり得る。
【００２０】
ランプ１０は、ドライバ回路２２を更に含み得る。ドライバ回路２２は、ワイヤ２６を介して担体１２に接続される別個の回路基板２４上に配設され得る。
【００２１】
ランプ１０は、担体１２の第１面１４ａに取り付けられる第１の一続き２８ａの光源３０を更に有する。図１においては、第１の一続き２８ａは、１１個の光源３０を有するが、この一続きの光源の個数は、より多くてもよく、又はより少なくてもよい。第１の一続き２８ａの光源３０は、主として、担体１２の第１面１４ａから離れる方向に光を発するよう構成される。光源３０は、発光ダイオード（ＬＥＤ）、ＯＬＥＤ、ＰＬＥＤなどのような固体光源（ＳＳＬ）であり得る。図１乃至２においては、第１の一続き２８ａの光源３０は、担体１２の湾曲周辺部２０に沿って取り付けられている。従って、第１の一続き２８ａの光源３０も、湾曲する又はアーチ形になるように配設される。第１の一続き２８ａの光源３０は、担体１２の導電性トラックに、好ましくは直列に、接続される。
【００２２】
ランプ１０は、第１の一続き２８ａの光源３０を覆う第１カバー部材３２ａを更に有する。図１においては、単に、下にある構造をよりはっきりと示すために、第１カバー部材３２ａの一部が切り取られているが、実際のランプ１０においては、もちろん、その部分は切り取られていない（図２参照）。詳細には、第１カバー部材３２ａは、中空隆起部３６ａによって囲まれる平らな中央領域３４ａを持つ。中空隆起部３６ａは、Ｕ字状断面を持つ。中空隆起部３６ａは、担体１２の湾曲周辺部２０に従い、第１の一続き２８ａの光源３０のための光チャンバ３８ａを規定する。第１カバー部材３２ａは、光源３０からの光が通過することを可能にするために、透明又は半透明であり得る。第１カバー部材３２ａは、例えばビーム成形又は散乱などの光学的な機能も持ち得る。
【００２３】
更に、担体１２には、第１の一続き２８ａの連続する光源３０の間に、開口部４０が設けられる。開口部４０は、担体１２の周辺の湾曲部２０に沿って配設され、湾曲部２０に従う。開口部４０は、更に、担体１２の第１面１４ａから担体１２の第２面１４ｂまで延在する。それ故、開口部４０は、貫通孔とも呼ばれ得る。開口部４０の側壁は、好ましくは、白色／高反射性である。好ましくは、光源３０’及び３０’’の間の開口部４０のように、各々の２つの光源３０の間に１つの開口部４０’が設けられる。換言すれば、光源３０と開口部４０とが、交互になるように配設される。他の例においては、連続する２つの光源の間に幾つかのより小さな開口部が設けられ得る。開口部４０は、好ましくは、開いている／空の空間であるが、他の例においては、開口部４０に透明な材料が充填され得る。
【００２４】
開口部４０の幅Ｗ１は、実質的に、光源３０の幅Ｗ２に対応し得る。各開口部４０の幅Ｗ１は、例えば、光源３０の幅Ｗ２の８０％と１２０％との間であり得る。従って、開口部４０の幅Ｗ１は、光源３０の幅Ｗ２より幾らか小さくてもよく、又は光源３０の幅Ｗ２より幾らか大きくてもよく、又は光源３０の幅Ｗ２と等しくてもよい（１００％）。同様に、開口部４０の長さＬは、実質的に、第１の一続き２８ａの連続する光源３０の間の距離Ｄに対応し得る。各開口部４０の長さＬは、例えば、距離Ｄの８０％と１００％との間であり得る。従って、開口部４０の長さＬは、連続する光源３０の間の距離Ｄより幾らか小さくてもよく、又は連続する光源３０の間の距離Ｄと等しくてもよい。図１乃至２においては、開口部４０は、全体的に矩形の形状をしている。それらは、個々に、担体１２の湾曲周辺部２０に合わせるよう、丸みを帯びた角を有すると共に、それらの長手方向においてわずかに湾曲していてもよい。しかしながら、他の形状の開口部４０もあり得る。
【００２５】
ランプ１０は、担体１２の第２面１４ｂに取り付けられる第２の一続き２８ｂの光源３０を更に有してもよい。第２の一続き２８ｂの光源３０は、主として、担体１２の第２面１４ｂから離れる方向に光を発するよう構成される。第２の一続き２８ｂの光源３０は、担体１２の導電性トラックに接続される。更に、第２の一続き２８ｂの光源３０は、担体１２の第２面１４ｂにおいて、第１の一続き２８ａの光源３０が第１面１４ａに配置されるのと同じ位置に配置され得る。換言すれば、２つの一続き２８ａ及び２８ｂの光源３０は、間に担体１２を備えるが、「背中合わせに」配設される（更に図３参照）。この方法においては、第２の一続き２８ｂの連続する光源３０の間にも開口部４０が存在する。ランプ１０は、第２の一続き２８ｂの光源３０を覆う第２カバー部材３２ｂを更に有してもよく、それによって、担体１２は、２つのカバー部材３２ａ及び３２ｂの間に挟まれる又は位置する。第２カバー部材３２ｂは、第１カバー部材３２ａのように、中空隆起部３６ｂによって囲まれる平らな中央領域３４ｂを持つ。中空隆起部３６ｂは、担体１２の湾曲周辺部２０に従い、第２の一続き２８ｂの光源３０のための光チャンバ３８ｂを規定する。第２カバー部材３２ｂは、透明又は半透明であってもよく、第２カバー部材３２ｂは、光学的な機能も持っていてもよい。２つのカバー部材３２ａ及び３２ｂは、ランプ１０に、全体的に平らな形状を与える。
【００２６】
ランプ１０の動作中、ランプソケットから、口金１６、ドライバ回路２２、ワイヤ２６、及び担体１２の導電性トラックを介して、光源３０に、電力が供給され、それによって、光源３０が光を発する。第１の一続き２８ａの光源３０から発せられる光は、光チャンバ２８ａ内へ発せられる。発せられる光の大部分は、照明を供給するよう、図３において矢印４２によって示されているように第１カバー部材３２ａを通過するだろうが、第１の一続き２８ａの光源３０から発せられる光の幾らかは、矢印４４によって示されているように、第１カバー部材３２ａによって担体１２の方へ後方反射されるだろう。後方反射される光の量は、とりわけ、カバー部材３２ａの光学的な機能に依存する。例えば、ビーム成形又は散乱のような強力な光の操作は、後方反射を増大させる。しかしながら、開口部４０により、第１カバー部材３２ａから反射されるほぼ全ての光が、矢印４６によって示されているように、第２カバー部材３２ｂを通ってランプ１０から逃れる「別の機会」を得るランプ１０の他方の面へ伝達される。同様に、第２の一続き２８ｂの光源３０から発せられる光の幾らかは、第２カバー部材３２ｂによって担体１２の方へ後方反射されるだろうが、反射される光の大部分は、第１カバー部材３２ａを通ってランプ１０から逃れることができるように開口部４０を通って担体１２を通過することを可能にされる。 
【００２７】
ランプ１０の光学的効率は、開口部４０によって改善される。更に、担体１２において、より少ない光しか吸収されない、又は光が吸収されないことから、担体１２及び光源３０の温度は低下させられることができ、このことは、ランプ１０の寿命を延ばし得る。更に、光４６は、有益なことに、ランプ１０の、適正な方向の光出力を増す。更に、ランプ１０の一方の面において生成された光が、ランプ１０の他方の面において生成された光と混ざり合うことができ、従って、ランプの混合作用を改善する。開口部４０は、色又は光束の混合を促進することができ、カバー部材の光学的な機能における要求を減らし、このことは、ランプ１０のコストを減らし得る。
【００２８】
ランプ１０は、例えば、照明目的のための照明設備又は照明器具において用いられ得る。ランプ１０は、従来の照明設備又は照明器具において交換又はレトロフィット電球として用いられ得る。
【００２９】
当業者には、本発明が、決して、上記の好ましい実施例に限定されないことは分かるであろう。逆に、添付の請求項の範囲内で多くの修正及び変更が可能である。更に、当業者は、請求項記載の発明の実施において、図面、明細及び添付の請求項の研究から、開示されている実施例に対する変形を、理解し、達成することができる。請求項において、「有する」という用語は、他の要素又はステップを除外せず、単数形表記は、複数の存在を除外しない。特定の手段が、相互に異なる従属請求項において引用されているという単なる事実は、これらの手段の組み合わせが有利になるように使用されることができないと示すものではない。
【図１】
0006293361.tif 000002
【図２】
0006293361.tif 000003
【図３】
0006293361.tif 000004